(57)【要約】【課題】  全体を目立たせて広告機能を具備させることができる建築現場用の標識看板を提供する。【解決手段】  建築時に必要な各種の証明票２，３が付される建築現場用の標識看板Ａであって、看板本体１を立体状に形成して、この看板本体１に設けられる建築業者表示部４を電光器具Ｌで電光表示させる。【選択図】  図１
2005300874.tif 000002
【特許請求の範囲】
【請求項１】
建築時に必要な各種の証明票が付される建築現場用の標識看板であって、この看板本体を立体状に形成し、この看板本体に、建築業者名表示部及び該建築業者の施工実績等を表示する広告表示部を設け、この建築業者名表示部及び／又は広告表示部が、電光器具で電光表示される建築現場用の標識看板。
【請求項２】
請求項１において、前記看板本体に建築完成時の外観等の完成表示が表示され、この完成表示が、施工完了後に建築主に記念品として提供し得るようにして組み込まれている建築現場用の標識看板。
【請求項３】
請求項１又は２において、前記看板本体にさらに人を感知する感知センサと、このセンサが人を感知したときに、前記建築業者を広告宣伝する広告用音声を出力する音声出力器が設けられている建築現場用の標識看板。
【請求項４】
請求項１〜３のいずれかにおいて、前記看板本体の左右の側面の少なくとも一方に、建築現場内への侵入者を感知する防犯センサや防犯カメラが設けられている建築現場用の標識看板。
【発明の詳細な説明】
【技術分野】
【０００１】
本発明は、家屋、ビル等の建築時に必要な各種の証明票が付される建築現場用の標識看板に関するものである。
【背景技術】
【０００２】
各種の工事を行うとき、建築現場には工事者名や工期及び建築業者名などが記載された看板が設置される（特許文献１参照）。特に、家屋、ビル等の建築時には、建設業の許可票や労災保険関係成立票などの証明票、及び、建築業者名や建築主名などの表示が付された標識看板を敷地内の見易い場所に設置することが法的に義務付けられている。
【特許文献１】特開平１１−３０５７０６号公報
【発明の開示】
【発明が解決しようとする課題】
【０００３】
しかし、従来の標識看板は、単に文字が記載されたパネルのようなものであって、目立ちにくく、通行人は標識看板を見過ごしてしまいがちである。
【０００４】
そこで、本発明は、全体を目立たせて広告機能を具備させた建築現場用の標識看板を提供することを目的としている。
【課題を解決するための手段】
【０００５】
上記目的を達成するために、本発明の建築現場用の標識看板は、看板本体を立体状に形成し、この看板本体に、建築業者名表示部及び該建築業者の施工実績等を表示する広告表示部を設け、この建築業者名表示部及び／又は広告表示部が、電光器具で電光表示されるものである。
【０００６】
家屋建築時には敷地内の見易い場所に標識看板が設置されて、その建築業者名表示部及び／又は広告表示部が電光器具で電光表示される。これによって看板全体が目立つものとなって広告効果が得られ、また、通行人などは興味を覚えて建築状況を観察することになる。
【０００７】
また、上記構成に加えて、前記看板本体に建築完成時の外観等の完成表示が表示され、この完成表示が、施工完了後に建築主に記念品として提供し得るようにして組み込まれている。この建築完成写真は、建物完成後は記念品として建築主に渡すことができ、家屋建築の想い出となる。
【０００８】
或いは、上記いずれかの構成に加えて、前記看板本体にさらに人を感知する感知センサと、このセンサが人を感知したときに、前記建築業者を広告宣伝する広告用音声を出力する音声出力器が設けられている。この構成によれば、人が近づいたとき、感知センサが感知して音声出力器から案内や広告を出力して通行人に注意を喚起するので、より大きな広告効果が得られ、また、通行人が受ける関心度が一層大きくなる。
【０００９】
或いは、上記いずれかの構成に加えて、前記看板本体の左右の側面の少なくとも一方に、建築現場内への侵入者を感知する防犯センサが設けられている。この構成によれば、建築途中において、建築現場内の盗難、いたずら等を防止することができる。
【発明の効果】
【００１０】
以上の本発明の標識看板によれば、看板全体を目立たせて広告機能を具備させることができる。
【発明を実施するための最良の形態】
【００１１】
以下、本発明にかかる建築現場用の標識看板を図面に基づいて説明する。図１は本発明にかかる標識看板の一実施形態を示す斜視図である。この標識看板Ａは、矩形立方体状の看板本体１からなり、看板本体１の表面には、建築時の証明票として建設業の許可票２と労災保険関係成立票３などが付されている。
【００１２】
また、看板本体１の表面の下部位置には建築業者名表示部４が、その上部位置には建築主名表示部５が設けられており、本実施形態においては、この建築業者名表示部４にはＬＥＤランプからなる多数の電光器具Ｌが用いられ、この電光器具Ｌにより建築業者名が電光表示される。さらに、後述する広告表示部９に、広告を電光器具により電光表示させてもよい。前記電光器具としては、ＬＥＤ以外にも、ＥＬ、ＶＦＤ、ＰＤＰ、ＬＣＤ等を用いることができる。また、電光表示方法としては、常時点灯表示させる方法、点滅表示させる方法、スクロール表示させる方法等が挙げられる。これによって、看板全体が目立つものとなって広告効果が得られ、また、通行人などは興味を覚えてモデルルームを見るように建築状況を観察することになる。このとき、前記建築主名表示部５を電光表示させてもよい。また、別の態様として、看板本体１の建築業者名表示部４に建築業者名を、広告表示部９に該建築業者の広告、建築主表示部５に建築主名を、予め付しておき、これらの表示部を前記電光器具で照らし出して、電光表示させてもよい。
【００１３】
さらに、前記看板本体１の建築主名の表示５と各票２，３との間で右側には、施工完了後に、建築主に置物、時計等の記念品として提供し得る完成表示として、建築完成写真６が組み込まれている。この建築完成写真６以外にも、完成表示として、例えば、完成図、三次元立体画像の完成写真やその建物の棟上げ時の写真などを組み込んでもよい。これら建築完成写真等、若しくは、これら建築完成写真等に示された画像と同等のものは、施工完了後は記念品として建築主に渡すことができ、家屋建築の想い出となる。
【００１４】
また、前記看板本体１の建築主名の表示５と各票２，３との間で左側には、建築業者の施工実績等の広告を表示する広告表示部９が設けられ、さらには、人を感知する感知センサ７と、この感知センサ７が人を感知したときに広告や案内を出力する音声出力器８とが組み込まれている。前記感知センサ７としては例えば赤外線センサが、音声出力器８としてはスピーカーが用いられる。このようにすれば、人が近づいたとき、感知センサ７が感知して音声出力器８から広告や案内を出力して通行人に注意を喚起するため、より大きな広告効果が得られ、また、通行人が受ける関心度が一層大きくなる。このとき、音声出力器８の近くにボタンスイッチを設けて、これを押すことにより広告や案内を出力するようにしてもよい。なお、広告表示部９には、建築業者の広告と併せて、時計や天気予報等を表示してもよい。このような構成にすることで、通行人などの興味を標識看板Ａに惹きつけ、広告機能を向上させる。
【００１５】
また、前記看板本体１の少なくとも左右一方の側面には、建築現場内に人が侵入した場合に感知する防犯センサや防犯カメラが組み込まれていてもよい。このような構成にすることで、建築途中において、建築現場内の盗難、いたずら等を防止することができる。また、この防犯センサと共に防犯アラームをも看板本体１に備えておくと、別途、防犯アラームを設置する必要がなく、防犯上効果的である。
【００１６】
さらに、前記看板本体１は、太陽電池を備えていてもよい。標識看板Ａの設置場所によっては、電光器具Ｌ、感知センサ８、音声出力器９等の電源が、確保できない場合があるので、このような構成することで、電源のとりにくい設置場所にも対応可能である。
【００１７】
標識看板Ａの設置方法としては、例えば、前記看板本体１に掛止を設け、建築現場の周囲に設置されるガードフェンス、板状部材等の仮囲いに、掛止して取り付ける方法が挙げられる。また、前記看板本体の左右の側面と、前記仮囲いを支持するための支柱に係止部を設け、係止して設置する方法等を用いてもよい。
【図面の簡単な説明】
【００１８】
【図１】本発明にかかる建築現場用の標識看板の一実施形態を示す斜視図である。
【符号の説明】
【００１９】
１  看板本体
２  証明票（建設業の許可票）
３  証明票（労災保険関係成立票）
４  建築業者名表示部
５  建築主名表示部
６  建築完成写真
７  感知センサ
８  音声出力器
９  広告表示部
Ａ  標識看板
Ｌ  電光器具
【図１】
2005300874.tif 000003